(57)【要約】【課題】弾性体の弾発力を高めることなく、より高い挟持を維持するクリップを有する筆記具を提供する。【解決手段】本発明は、筒体に対し、クリップを開閉自在に連結し、前記筒体とクリップ間に配設した弾性体によって、クリップの内壁の玉部を前記筒体外壁面側に常時弾発した状態に付設し、クリップの後端部外壁の操作部を、前記筒体外壁方向に押圧することで、筒体とクリップとの連結部を支点とし、前記クリップの内壁の玉部を前記筒体外壁面から離間可能としてなるクリップを有する筆記具であって、前記クリップが、前記クリップ片の内壁に、筒体の前方側に位置する一方の玉部と、前記一方の玉部よりも後方側に位置する他方の玉部を径方向の異なる位置に設けたことを特徴とする。【選択図】図６
2011131528.tif 000002
【特許請求の範囲】
【請求項１】
筒体に対し、クリップを開閉自在に連結し、前記筒体とクリップ間に配設した弾性体によって、クリップの内壁の玉部を前記筒体外壁面側に常時弾発した状態に付設し、クリップの後端部外壁の操作部を、前記筒体外壁方向に押圧することで、筒体とクリップとの連結部を支点とし、前記クリップの内壁の玉部を前記筒体外壁面から離間可能としてなるクリップを有する筆記具であって、前記クリップが、前記クリップ片の内壁に、筒体の前方側に位置する一方の玉部と、前記一方の玉部よりも後方側に位置する他方の玉部を径方向の異なる位置に設けたことを特徴とするクリップを有する筆記具。
【請求項２】
前記クリップが、前記操作部から二股状に離間した二つのクリップ片をすることを特徴とする請求項１に記載のクリップを有する筆記具。
【請求項３】
前記クリップ片の長さが異なることを特徴とする請求項２に記載のクリップを有する筆記具。
【請求項４】
前記一方の玉部と他方の玉部の一部が、軸方向で重複して設けてあることを特徴とする請求項１ないし３の何れか１項に記載のクリップを有する筆記具。
【発明の詳細な説明】
【技術分野】
【０００１】
本発明は、筒体に対し、クリップを開閉自在に連結した、クリップを有する筆記具に関する。
【背景技術】
【０００２】
従来から、実開平５−５３９９３号公報「筆記具等のクリップ」のように、クリップの底壁に、平行する二つの玉部を形成することで、クリップと筒体間に挟持した被挟持物が容易に抜けない構造としたクリップ構造が開示されている。
【０００３】
さらに、クリップの挟持力を高める等を目的として、クリップと筒体間に挟持した被挟持物が容易に抜けないように、筒体とクリップとを開閉自在に連結し、前記筒体とクリップ間に配設した弾性体によって、クリップの先端内壁の玉部を前記筒体外壁面側に常時弾発した状態に付設し、クリップの後端部外壁の操作部を、前記筒体外壁方向に押圧することで、前記連結部を支点とし、前記玉部を前記筒体外壁面から離間可能としてなるクリップを有する筆記具はよく知られていて、特開２００１−１４６０９４号公報「筆記具のクリップ取付装置」などにて開示されている。
【先行技術文献】
【特許文献】
【０００４】
【特許文献１】実開平５−５３９９３号公報
【特許文献２】特開２００１−１４６０９４号公報
【発明の開示】
【発明が解決しようとする課題】
【０００５】
ところで、特許文献２では、クリップの挟持力を高めるには、弾性体の弾発力を高めることが考えられるが、弾性体の弾発力を高めると、挟持力は高くなるが、クリップの先端部を筒体から離間する操作部への押圧力も高くなり、操作し難くなる問題があった。
【０００６】
本発明の目的は、弾性体の弾発力を高めることなく、より高い挟持を維持するクリップを有する筆記具を提供することにある。
【課題を解決するための手段】
【０００７】
上記目的を達成するために、本発明は、筒体に対し、クリップを開閉自在に連結し、前記筒体とクリップ間に配設した弾性体によって、クリップの内壁の玉部を前記筒体外壁面側に常時弾発した状態に付設し、クリップの後端部外壁の操作部を、前記筒体外壁方向に押圧することで、筒体とクリップとの連結部を支点とし、前記クリップの内壁の玉部を前記筒体外壁面から離間可能としてなるクリップを有する筆記具であって、前記クリップが、前記クリップ片の内壁に、筒体の前方側に位置する一方の玉部と、前記一方の玉部よりも後方側に位置する他方の玉部を径方向の異なる位置に設けたことを特徴とする。
【０００８】
また、前記一方の玉部と他方の玉部の一部が、軸方向で重複して設けてあることを特徴とする。
【０００９】
また、前記クリップが、前記操作部から二股状に離間した二つのクリップ片をすることを特徴とする。
【００１０】
さらにまた、前記クリップ片の長さが異なることを特徴とする。
【００１１】
本願発明の請求項１の構成によれば、前記クリップが、前記クリップ片の内壁に、筒体の前方側に位置する一方の玉部と、前記一方の玉部よりも後方側に位置する他方の玉部を径方向の異なる位置に設けている。これらの結果、筒体の先端側に位置する一方の玉部と筒体との挟持力に対し、筒体の後端側に位置する他方の玉部と筒体との挟持力を高くすることができ、被挟持物を挟持するとき、挟持力の小さい一方の玉部から進入を開始し、進入が進むと、挟持力の高い他方の玉部にて挟持する。そのため、挟持力の小さい一方の玉部では、被挟持物が進入し易く、その後、安定した状態で、挟持力の高い一方の玉部で挟持することができ、より高い挟持を維持することができる。
【００１２】
本願発明の請求項２の構成によれば、前記一方の玉部と他方の玉部の一部が、軸方向で重複して設けているために、進入した被挟持物が、一方と他方の玉部間に位置する部分を有するために、高い挟持力を得ることができる。
【００１３】
本願発明の請求項３の構成によれば、クリップの後端部外壁の操作部によって、二つのクリップ片が連動して開閉するとともに、二つのクリップ片が、連結部を個々に有するために、クリップ片のそれぞれが独立して容易に開閉しやすくなり、一方及び他方の玉部にて挟持し易くなる。さらに、厚さに差がある被挟持物を挟持しても、クリップ片のそれぞれが独立して容易に開閉しやすいために、二つのクリップ片の玉部にて安定して保持することができる。
【００１４】
また、請求項４の構成によれば、二股にした前記クリップ片の長さが異なるために、被挟持物の進入を視認し易く、二つの玉部で被挟持物を挟持している状態を確認し易くすることができる。
【発明の効果】
【００１５】
本発明は、弾性体の弾発力を高めることなく、より高い挟持を維持するクリップを有する筆記具を提供することができた。
【図面の簡単な説明】
【００１６】
【図１】実施例１におけるクリップの上面から見た外観図である。
【図２】図１におけるクリップを連結前の状態を示す図である。
【図３】図１におけるＡ−Ａ断面図である。
【図４】図１におけるＢ−Ｂ断面図である。
【図５】図１におけるＣ−Ｃ断面図である。
【図６】図１における側面方向から見た外観図である。
【図７】図５におけるクリップを開いた状態の図である。
【図８】実施例２におけるクリップの上面から見た外観図である。
【発明を実施するための最良の形態】
【００１７】
以下、図面を参照して本発明の実施例を説明する。尚、図面中同じ部材、同じ部品については同じ番号を付してある。
【００１８】
実施例１
図１から図７に示すクリップを有する筆記具１は、筒体２の後端部の外壁に併設したクリップ５側に向かって延びる第１、第２突部１０Ａ、１０Ｂを覆うように、コイルスプリング１１Ａ、１１Ｂを配設することにより、クリップ片７Ａ、７Ｂの先端部の内壁に設けた玉部８Ａ、８Ｂを、筒体２の外壁面側に常時弾発して付設してある。また、クリップ５の後端部の操作部６を押圧（図４、５の矢印Ｆ方向）することにより、クリップ片７Ａ、７Ｂの内壁に併設した玉部８Ａ、８Ｂを筒体２の外壁面から離間可能にしてある。
【００１９】
クリップ５に詳述すると、クリップ５は操作部６から二股状に離間した二つのクリップ片７Ａ、７Ｂを有しており、二つのクリップ片７Ａ、７Ｂと筒体２とをそれぞれ連結部によって連結してある。連接部は、筒体２の外壁面に、第１支柱３Ａと第２支柱３Ｂを一体に併設し、第１支柱３Ａの凸部４Ａに一方のクリップ片７Ａの凹部９Ａ、第２支柱３Ｂの凸部４Ｂに他方のクリップ片７Ｂの凹部９Ｂを凹凸嵌合によって、各クリップ片が筒体に対し開閉自在に連結してある。
【００２０】
各クリップ片７Ａ、７Ｂを、筒体２とクリップ５間に配設したコイルスプリング１１Ａ、１１Ｂによって、筒体２の外壁面側に常時弾発する構造とすることで、クリップ５を破損し難くすることができる。
【００２１】
また、二つのクリップ片７Ａ、７Ｂには、玉部８Ａ、８Ｂが軸方向の異なる位置に設けてあり、ポケット等の被挟持物（図示せず）は、筒体２の先端側に位置する玉部８Ａから進入し、筒体２の後端側に位置する玉部８Ｂによって挟持される。
【００２２】
また、クリップ５の後端部の操作部６を押圧（図４、５の矢印Ｆ方向）すると、操作部６と一体に形成してある二つのクリップ片７Ａ、７Ｂが連動して玉部８Ａ、８Ｂを筒体２から離間するが、二つのクリップ片７Ａ、７Ｂのそれぞれに連結部（３Ａと８Ａ、３Ｂと８Ｂ）を設けているため、クリップ片７Ａ、７Ｂのそれぞれの連結部を支点として独立して開閉しやすくなるために、コイルスプリング１１Ａ、１１Ｂの弾発力によって、一方の玉部８Ａと、他方の玉部８Ｂにて、被挟持物を挟持しやすくする。
【００２３】
図８に示す実施例２のクリップを有する筆記具１１は、クリップ１５の二つのクリップ片１７Ａ、１７Ｂが、軸方向に沿った長さが異なっている以外は、実施例１と同様にして筆記具を得ている。二つのクリップ片１７Ａ、１７Ｂの軸方向に沿った長さが異るため、被挟持物の端部の位置が視認できるため、進入状態を確認することができる。
【００２４】
本実施例では、便宜上、クリップの先端内壁部を、筒体とクリップ間に配設したコイルスプリングによって、筒体外壁面側に常時弾発する構造としてあるが、弾性体としてＵ字状バネや板バネを用いてもよい。また、本実施例では、筒体を軸筒にて例示してあるが、筒体をキャップとし、キャップにクリップを付設する構造であってもよい。
【００２５】
また、クリップの内壁の玉部は、軸方向の異なる位置に設けてあれば、離間距離は、特に限定されるものではないが、一方の玉部と他方の玉部が軸方向で重複位置に設けることで、挟持力を高めることができるので好ましい。また、実施例では、二つのクリップ片に対応して弾性体を二つ配設しているが、操作部に対応する位置に、１つのコイルスプリングを配設する構造であってもよい。
【００２６】
また、クリップの先端内壁の玉部を前記筒体外壁面側に常時弾発した状態に付設してあれば弾性体の配設位置は、特に限定されるものではない。また、実施例では、二つのクリップ片に対応して弾性体を二つ配設しているが、操作部に対応する位置に、１つのコイルスプリングを配設する構造であってもよい。
【００２７】
尚、筒体は、筆記体を収容するなどした軸筒、軸筒に着脱自在に装着するキャップとして実施可能である。
【産業上の利用可能性】
【００２８】
キャップ式、ノック式等、クリップを有する筆記具として広く実施可能であり、被係止物の挟持力が高く、容易に被係止物から外れないので、通勤や通学等の移動時に効果的である。
【符号の説明】
【００２９】
１、１１  筆記具
２  筒体
３Ａ  第１支柱
３Ｂ  第２支柱
４Ａ、４Ｂ  凸部
５、１５  クリップ
６、１６  操作部
７Ａ、７Ｂ、１７Ａ、１７Ｂ  クリップ片
８Ａ、８Ｂ  玉部
９Ａ、９Ｂ  凹部
１０Ａ  第１突部
１０Ｂ  第２突部
１１Ａ、１１Ｂ  コイルスプリング
【図１】
2011131528.tif 000003
【図２】
2011131528.tif 000004
【図３】
2011131528.tif 000005
【図４】
2011131528.tif 000006
【図５】
2011131528.tif 000007
【図６】
2011131528.tif 000008
【図７】
2011131528.tif 000009
【図８】
2011131528.tif 000010